(57)【要約】      （修正有）【課題】動作温度が十分な期間、閾値を超える場合、電界コンデンサおよび／または他のシステム構成部品は損傷を受け、蛍光灯は動作不能になることがある。【解決手段】蛍光灯用の安定器モジュール１００は、電解コンデンサ１０６を備える。温度センサ１１２は、電解コンデンサ１０６の温度を検知する。制御モジュール１０４は、温度センサ１１２と通信し、検知された温度が所定の閾値を超えるときに蛍光灯１０への電力出力を調整する。制御モジュール１０４は、蛍光灯１０への電力出力を低減する。所定の期間、制御モジュール１０４は電力出力を低減する。所定の期間の後に、制御モジュール１０４は蛍光灯１０への電力出力を増大させる。【選択図】  図３
2006302883.tif 000002
【特許請求の範囲】
【請求項１】
電解キャパシタンス素子と、
前記電解キャパシタンス素子の温度を検知する温度センサと、
前記温度センサに通じており、前記検知された温度が所定の閾値を超えるときに蛍光灯への電力出力を調整する制御モジュールと、
を備える蛍光灯用の安定器モジュール。
【請求項２】
前記制御モジュールは、前記蛍光灯への前記電力出力を低減する、請求項１に記載の安定器モジュール。
【請求項３】
前記制御モジュールは、所定の期間、前記電力出力を低減する、請求項１に記載の安定器モジュール。
【請求項４】
前記制御モジュールは、前記所定の期間の後に、前記蛍光灯への電力出力を増大させる、請求項３に記載の安定器モジュール。
【請求項５】
前記制御モジュールは、前記蛍光灯への前記電力出力をオフにする、請求項１に記載の安定器モジュール。
【請求項６】
前記制御モジュールは、所定の期間、前記電力出力をオフにする、請求項１に記載の安定器モジュール。
【請求項７】
前記制御モジュールは、前記所定の期間の後に、前記蛍光灯への電力出力を増大させる、請求項６に記載の安定器モジュール。
【請求項８】
前記制御モジュールは、前記検知された温度に基づいて前記電力出力を調整する、請求項１に記載の安定器モジュール。
【請求項９】
請求項１に記載の前記安定器モジュールを備え、前記制御モジュールに選択的に電力を供給するスイッチを更に備えるシステム。
【請求項１０】
前記スイッチは三路スイッチである、請求項９に記載のシステム。
【請求項１１】
選択的に電圧源に通じる入力を有する整流器モジュールを更に備え、前記電解キャパシタンス素子および前記制御モジュールは、前記整流器モジュールの出力に通じている、請求項１に記載の安定器モジュール。
【請求項１２】
前記整流器の第１の出力端子に通じている第１の端子、および前記制御モジュールに通じている制御端子を有する第１のパワートランジスタと、
前記第１のパワートランジスタの第２の端子に通じている第１の端子、および前記制御モジュールに通じている制御端子を有する第２のパワートランジスタと、
を更に備える、請求項１１に記載の安定器モジュール。
【請求項１３】
前記第１のパワートランジスタの前記第１および第２の端子に通じている第２のキャパシタンス素子をさらに備える、請求項１２に記載の安定器モジュール。
【請求項１４】
前記第１のパワートランジスタの前記第２の端子に通じている一端、および前記蛍光灯の電極に通じている反対端を有するインダクタンス素子を更に備える、請求項１３に記載の安定器モジュール。
【請求項１５】
請求項１に記載の前記安定器モジュールを備え、
第１電極対および第２の電極対を有する前記蛍光灯と、
前記第１の電極対の一方および前記第２の電極対の一方に通じている第３のキャパシタンス素子と、
を更に備えるシステム。
【請求項１６】
請求項１３に記載の前記安定器モジュールを備え、
第１の電極対および第２の電極対を有する前記蛍光灯と、
前記第１の電極対の一方および前記第２のキャパシタンス素子に通じている第４のキャパシタンス素子と、
を更に備えるシステム。
【発明の詳細な説明】
【発明の分野】
【０００１】
[0001]本発明は、蛍光照明器具に関し、より詳細には、蛍光照明器具用の制御システムに関する。
【発明の背景】
【０００２】
[0002]図１を参照すると、蛍光灯１０は、シールドガラス管１２を有し、当該シールドガラス管１２は、水銀などの第１の材料およびアルゴンなどの第１の不活性ガスを収容する。第１の材料及び第１の不活性ガスは、両者共に、包括的に１４で特定されている。蛍光体粉末１６は、管１２の内面に沿ってコートされることがある。管１２は、管１２の両端に位置する電極１８Ａおよび１８Ｂ（まとめて電極１８）を含む。電力は制御システムによって電極１８に供給され、制御システムには、交流電源２２、スイッチ２４、安定器モジュール２６およびコンデンサ２８が含まれ得る。
【０００３】
[0003]スイッチ２４が閉じているとき、制御システムは電力を電極１８に供給する。電子は、ガス１４を介して管１２の一端から反対端に移動する。流れる電子からのエネルギーは、水銀のうちのいくらかを液体からガスに変化させる。電子および電荷を帯びた原子が管１２を介して移動するとき、ガス状の水銀原子と衝突するものもある。その衝突により、原子は励起され、電子はより高い状態に遷移する。電子は、より低いエネルギーレベルに戻るときに、光子または光を放出する。水銀原子中の電子は紫外線波長帯の光量子を放出する。蛍光塗装１６が紫外光子を吸収することによって、蛍光塗装１６中の電子をより高いレベルに遷移させる。電子は、より低いエネルギーレベルに戻るとき、白色光に相当する波長を有する光子を放出する。
【０００４】
[0004]管１２を介して電流を送るため、蛍光灯１０は、自由電子およびイオン、ならびに電極１８間の電荷の差を必要とする。一般的に、原子は通常中性の電荷を維持しているので、ガス１４中にはイオンおよび自由電子はほとんどない。蛍光灯１０は、点灯するときには、新規の自由電子およびイオンを導入する必要がある。
【０００５】
[0005]安定器モジュール２６は、起動中に両方の電極１８を介して電流を出力する。電流の流れは二つの電極１８の間に電荷の差を生み出す。蛍光灯１０が点灯するとき、両方の電極フィラメントは非常に急速に熱する。電子が放出され、それにより管１２内のガス１４がイオン化する。ガスがイオン化されると、電極１８間の電圧差により、電気アークが確立する。流れる荷電粒子は水銀原子を励起し、それにより照明プロセスが始動する。電子およびイオンは、特定の区域を介して多く流れるほど、より多くの原子と衝突し、それにより電子が解放され、より多くの荷電粒子が生み出される。抵抗は減少し、電流は増大する。安定器モジュール２６は、起動中および起動後の両者において、電力を調整する。
【０００６】
[0006]次に図２を参照すると、安定器モジュール５０には、制御モジュール５４、一つ以上の電解コンデンサ５６、ならびに他の部品５８を含むものがある。電解コンデンサ５６は、電圧を濾波または平滑化するのに使用され得る。電解コンデンサ５６および／または他のシステム構成部品は、高い動作温度に敏感であることがある。動作温度が十分な期間、閾値を超える場合、電解コンデンサ５６および／または他のシステム構成部品は損傷を受け、蛍光灯１０は動作不能になることがある。
【発明の概要】
【０００７】
[0007]蛍光灯用の安定器モジュールは、電解キャパシタンス素子を備える。温度センサは電解キャパシタンス素子の温度を検知する。制御モジュールは、温度センサに通じており、検知された温度が所定の閾値を超えるときに蛍光灯への電力出力を調整する。
【０００８】
[0008]他の特徴において、制御モジュールは、蛍光灯への電力出力を低減する。所定の期間、制御モジュールは電力出力を低減する。所定の期間の後に、制御モジュールは蛍光灯への電力出力を増大させる。制御モジュールは、蛍光灯への電力出力を止める。所定の期間、制御モジュールは電力出力を止める。所定の期間の後に、制御モジュールは蛍光灯への電力出力を増大させる。制御モジュールは、検知された温度に基づいて電力出力を調整する。
【０００９】
[0009]システムは、安定器モジュールを備え、制御モジュールに選択的に電力を供給するスイッチをさらに備える。このスイッチは三路スイッチである。整流器モジュールは、選択的に電圧源に通じる入力を有する。電解キャパシタンス素子および制御モジュールは、整流器モジュールの出力に通じている。
【００１０】
[0010]他の特徴において、安定器モジュールは、整流器の第１の出力端子に通じている第１の端子と、制御モジュールに通じている制御端子とを有する第１のパワートランジスタを更に備える。第２のパワートランジスタは、第１のパワートランジスタの第２の端子に通じている第１の端子と、制御モジュールに通じている制御端子とを有する。第２のキャパシタンス素子は、第１のパワートランジスタの第１および第２の端子に通じている。インダクタンス素子は、第１のパワートランジスタの第２の端子に通じている一端と、蛍光灯の電極に通じている反対端とを有する。
【００１１】
[0011]システムは、安定器モジュールを備え、第１の電極対および第２の電極対を有する蛍光灯を更に備える。第３のキャパシタンス素子は、第１の電極対の一方および第２の電極対の一方に通じている。システムは、安定器モジュールを備え、第１および第２の電極対を有する蛍光灯を更に備える。第４のキャパシタンス素子は、第１の電極対の一方および第２のキャパシタンス素子に通じている。
【００１２】
[0012]蛍光灯用の安定器モジュールは、キャパシタンスを提供する電解キャパシタンス手段を備える。温度検知手段は、電解キャパシタンス手段の温度を検知する。制御手段は、検知された温度が所定の閾値を超えるときに蛍光灯への電力出力を調整するために、温度検知手段に通じている。
【００１３】
[0013]他の特徴において、制御手段は蛍光灯への電力出力を低減する。所定の期間、制御手段は電力出力を低減する。所定の期間の後に、制御手段は蛍光灯への電力出力を増大させる。制御手段は、蛍光灯への電力出力を止める。所定の期間、制御手段は電力出力を止める。所定の期間の後に、制御手段は蛍光灯への電力出力を増大させる。制御手段は、検知された温度に基づいて電力出力を調整する。
【００１４】
[0014]システムは、安定器モジュールを備え、制御手段に選択的に電力を供給するための切替手段を更に備える。この切替手段は三路切替手段である。整流用の整流器手段は、選択的に電圧源に通じる入力を有する。電解キャパシタンス手段および制御手段は、整流器手段の出力に通じている。切替用の第１の電力切替手段は、整流器の第１の出力端子に通じている第１の端子と、制御手段に通じている制御端子とを有する。切替用の第２の電力切替手段は、第１の電力切替手段の第２の端子に通じている第１の端子と、制御手段に通じている制御端子とを有する。キャパシタンスを提供するための第２のキャパシタンス手段は、第１の電力切替手段の第１および第２の端子に通じている。インダクタンスを提供するためのインダクタンス手段は、第１の電力切替手段の第２の端子に通じている一端と、蛍光灯の電極に通じている反対端とを有する。
【００１５】
[0015]システムは、安定器モジュールを備え、第１の電極対および第２の電極対を有する蛍光灯を更に備える。キャパシタンスを提供するための第３のキャパシタンス手段は、第１の電極対の一方および第２の電極対の一方に通じている。システムは、安定器モジュールを備え、第１の電極対および第２の電極対を有する蛍光灯を更に備える。キャパシタンスを提供するための第４のキャパシタンス手段は、第１の電極対の一方および第２のキャパシタンス手段に通じている。
【００１６】
[0016]蛍光灯用の安定器モジュールを動作させる方法は、安定器モジュール内に電解キャパシタンス素子を提供するステップ、電解キャパシタンス素子の温度を検知するステップ、および検知された温度が所定の閾値を超えるときに蛍光灯への電力出力を調整するステップを含む。
【００１７】
[0017]他の特徴において、この方法には、蛍光灯への電力出力を低減するステップが含まれる。この方法には、所定の期間、電力出力を低減するステップが含まれる。この方法には、所定の期間の後に、蛍光灯への電力出力を増大させるステップが含まれる。この方法には、蛍光灯への電力出力を止めるステップが含まれる。この方法には、所定の期間、電力出力を止めるステップが含まれる。この方法には、所定の期間の後に、蛍光灯への電力出力を増大させるステップが含まれる。この方法には、検知された温度に基づいて電力出力を調整するステップが含まれる。方この法には、制御モジュールに選択的に電力を供給するステップが含まれる。
【００１８】
[0018]蛍光灯用の制御システムは、第１の電気部品を備える。温度センサは、第１の電気部品の温度を検知する。制御モジュールは、温度センサに通じていており、検知された温度が所定の閾値を超えるときに蛍光灯への電力出力を調整する。
【００１９】
[0019]他の特徴において、制御モジュールは蛍光灯への電力出力を低減する。所定の期間、制御モジュールは電力出力を低減する。所定の期間の後に、制御モジュールは蛍光灯への電力出力を増大させる。制御モジュールは、蛍光灯への電力出力を止める。所定の期間、制御モジュールは電力出力を止める。所定の期間の後に、制御モジュールは蛍光灯への電力出力を増大させる。制御モジュールは、検知された温度に基づいて電力出力を調整する。
【００２０】
[0020]制御システムは、制御モジュールに選択的に電力を供給するスイッチを更に備える。このスイッチは三路スイッチである。整流器モジュールは、選択的に電圧源に通じる入力を有する。電解キャパシタンス素子および制御モジュールは、整流器モジュールの出力に通じている。
【００２１】
[0021]他の特徴において、制御システムは、整流器の第１の出力端子に通じている第１の端子と制御モジュールに通じている制御端子とを有する第１のパワートランジスタを更に備える。第２のパワートランジスタは、第１のパワートランジスタの第２の端子に通じている第１の端子と制御モジュールに通じている制御端子とを有する。第２のキャパシタンス素子は、第１のパワートランジスタの第１および第２の端子に通じている。インダクタンス素子は、第１のパワートランジスタの第２の端子に通じている一端および蛍光灯の電極に通じている反対端を有する。
【００２２】
[0022]制御システムは、第１の電極対および第２の電極対を有する蛍光灯を更に備える。第３のキャパシタンス素子は、第１の電極対の一方および第２の電極対の一方に通じている。制御システムは、第１の電極対および第２の電極対を有する蛍光灯を更に備える。第４のキャパシタンス素子は、第１の電極対の一方および第２のキャパシタンス素子に通じている。
【００２３】
[0023]蛍光灯用の制御システムは、第１の電気的機能を提供するための第１の手段を備える。温度検知手段は、第１の手段の温度を検知する。制御手段は、検知された温度が所定の閾値を超えるときに蛍光灯への電力出力を調整するために温度検知手段に通じている。
【００２４】
[0024]他の特徴において、制御手段は、蛍光灯への電力出力を低減する。所定の期間、制御手段は電力出力を低減する。所定の期間の後に、制御手段は蛍光灯への電力出力を増大させる。制御手段は、蛍光灯への電力出力を止める。所定の期間、制御手段は電力出力を止める。所定の期間の後に、制御手段は蛍光灯への電力出力を増大させる。制御手段は、検知された温度に基づいて電力出力を調整する。
【００２５】
[0025]制御システムは、制御手段に選択的に電力を供給するための切替手段を更に備える。この切替手段は三路切替手段である。整流用の整流器手段は、選択的に電圧源に通じる入力を有する。電解キャパシタンス手段および制御手段は、整流器手段の出力に通じている。切替用の第１の電力切替手段は、整流器の第１の出力端子に通じている第１の端子と、制御手段に通じている制御端子とを有する。切替用の第２の電力切替手段は、第１の電力切替手段の第２の端子に通じている第１の端子と、制御手段に通じている制御端子とを有する。キャパシタンスを提供するための第２のキャパシタンス手段は、第１の電力切替手段の第１および第２の端子に通じている。インダクタンスを提供するためのインダクタンス手段は、第１の電力切替手段の第２の端子に通じている一端と、蛍光灯の電極に通じている反対端とを有する。
【００２６】
[0026]制御システムは、第１の電極対および第２の電極対を有する蛍光灯を更に備える。キャパシタンスを提供するための第３のキャパシタンス手段は、第１の電極対の一方および第２の電極対の一方と通信する。制御システムは、第１の電極対および第２の電極対を有する蛍光灯を更に備える。キャパシタンスを提供するための第４のキャパシタンス手段は、第１の電極対の一方および第２のキャパシタンス手段と通信する。
【００２７】
[0027]蛍光灯用の制御システムを動作させるための方法は、第１の電気部品を提供するステップ、第１の電気部品の温度を検知するステップ、および検知された温度が所定の閾値を超えるときに蛍光灯への電力出力を調整するステップを含む。
【００２８】
[0028]他の特徴において、方法には、蛍光灯への電力出力を低減するステップが含まれる。方法には、所定の期間、電力出力を低減するステップが含まれる。方法には、所定の期間の後に、蛍光灯への電力出力を増大させるステップが含まれる。方法には、蛍光灯への電力出力を止めるステップが含まれる。方法には、所定の期間、電力出力を止めるステップが含まれる。方法には、所定の期間の後に、蛍光灯への電力出力を増大させるステップが含まれる。方法には、検知された温度に基づいて電力出力を調整するステップが含まれる。方法には、制御モジュールに選択的に電力を供給するステップが含まれる。
【００２９】
[0029]本発明の適用範囲のさらなる領域は、以下に示す詳細な記述から明白になるであろう。詳細な記述および具体的な例は、本発明の好ましい実施形態を示してはいるが、例示するためだけのものであり、本発明の範囲を限定するものではないことを理解されたい。
【００３０】
[0030]本発明は、詳細な記述および各添付図から、より完全に理解されよう。
【好ましい実施形態の詳細な説明】
【００３１】
[0038]好ましい各実施形態の以下の記述は、本質的には単に例示的なものであり、本発明、その適用例、または用途を限定することを決して意図してはいない。本明細書では、モジュールという用語は、特定用途向け集積回路（ＡＳＩＣ）、電子回路、一つまたは複数のソフトウェア又はファームウェアプログラムを実行するプロセッサ（共用、専用、またはグループ）およびメモリ、組合せ論理回路、ならびに／もしくは記述された機能を提供する他の適した部品を指す。明確にするために、各図面において同じ参照番号を使用して、同様の要素を識別する。
【００３２】
[0039]次に図３を参照すると、蛍光灯１０用の制御システム９８の機能ブロック図が示されている。安定器モジュール１００は、制御モジュール１０４、一つ以上の電解コンデンサ１０８、および包括的に１１０で特定されている一つ以上の他の部品を含む。安定器モジュール１００は、一つ以上の温度検知モジュール１１２および１１４を有しており、当該モジュール１１２及び１１４は、安定器モジュール１００の構成部品および／または蛍光灯１０の制御システムの動作温度を検知する。幾つかの実施形態では、温度センサ１１２は電解コンデンサ１０８の動作温度を検知し、温度センサ１１４は安定器モジュール１００の一つ以上の他の部品１１０、および／または制御システムの動作温度を検知する。
【００３３】
[0040]制御モジュール１０４は、検知された動作温度のうちの一つ以上に基づいて蛍光灯１０の動作を調整する。例えば、電解コンデンサ５６の動作温度が所定の温度閾値を超えるときに、制御モジュール１０４は蛍光灯１０を消灯する。あるいは、制御モジュール１０４は、所定の期間、リセットするまで、無期限に、および／または他の基準を使用して蛍光灯１０を消灯する。他の実施形態では、制御モジュール１０４は、所定の期間、無期限に、リセットするまで、および／または他の基準を使用して、安定器モジュール１００の出力電圧および／または電流を下げる。
【００３４】
[0041]次に図４を参照すると、安定器モジュール１００の例示的な実施形態が、示されており、全波または半波整流器１２０、電解コンデンサ１０６および制御モジュール１０４を有している。パワートランジスタ１２６の第１の端子は、整流器１２０の第１の出力に接続されている。第２の端子は、制御モジュール１０４、およびパワートランジスタ１２８の第１の端子に接続されている。制御モジュール１０４は、起動中および／または動作中に、各パワートランジスタをオン及びオフし、蛍光灯１０への電流および／または電圧を変化させる。
【００３５】
[0042]コンデンサＣ１は、整流器１２０の第１の出力、パワートランジスタ１２６の第２の端子、パワートランジスタ１２８の第１の端子、およびインダクタＬの一端に接続されることがある。インダクタＬの反対側は、電極１８Ａの一端に接続される。電極１８Ａの反対側は、コンデンサＣ３によって電極１８Ｂの一端に結合されている。整流器１２０の第１の出力は、コンデンサＣ２によって電極１８Ｂの反対側に結合されている。
【００３６】
[0043]次に図５を参照すると、図３の制御システムを動作させるためのステップを示すフローチャートが示されている。制御はステップ２００から始まる。ステップ２０４において、制御は、スイッチ２４がオンか否かを判定する。偽である場合、制御はステップ２０４に戻る。ステップ２０４が真である場合、制御は、蛍光灯１０がすでにオンであるか否かを判定する。真である場合、制御はステップ２０８に進み、検知された温度が閾値温度よりも大きいか否かを判定する。検知された温度は、安定器モジュール１００での電解コンデンサ５６および／または他の部品、ならびに／あるいは制御システムの他の構成部品に関連し得る。ステップ２０６が偽である場合、制御は、ステップ２１４で蛍光灯を点灯し、ステップ２０８に進む。ステップ２０８が偽であり、閾値温度を超えていない場合、制御はステップ２１０で、スイッチ２４がオフか否かを判定する。スイッチ２４がオフでない場合、制御はステップ２０４に戻る。
【００３７】
[0044]ステップ２０８が真であるとき、制御は、ステップ２１６においてスイッチ２４および／または蛍光灯１０をオフにする。実施形態によっては、スイッチ２４は、制御モジュール１０４によって制御されてもよい。あるいは、制御モジュール１０４は、スイッチ２４の位置とは独立に蛍光灯１０を消灯してもよい。あるいは、制御モジュール１０４は、三路スイッチ２４と協働して三路スイッチとして動作してもよい。ステップ２１０が真であり、スイッチ２４がオフであるとき、制御はステップ２１８において蛍光灯１０を消灯する。
【００３８】
[0045]次に図６を参照すると、図３の制御システムを動作させるための代替ステップを示すフローチャートが示されている。ステップ２０８が偽のとき、制御はステップ２０４に戻る。ステップ２０８が真のとき、制御はステップ２４２において蛍光灯１０を消灯する。ステップ２４６において、制御はタイマを起動する。ステップ２５０において、制御は、タイマの時限がきたか否かを判定する。ステップ２５０が真である場合、制御はステップ２０４に戻る。そうでない場合、制御はステップ２５０に戻る。
【００３９】
[0046]次に図７を参照すると、図３の制御システムを動作させるための代替のステップを示すフローチャートが示されている。ステップ２０８が真であるとき、制御は、ステップ２８２において、蛍光灯１０に出力される電力を低減する。蛍光灯１０への電力出力を低減するステップには、安定器モジュール１００によって電圧出力および／または電流出力を低減するステップが含まれていてもよい。蛍光灯１０は、スイッチ２４の使用をリセットするまで、このモードで動作され得る。あるいは、ステップ２８６において、制御はタイマを起動する。ステップ２９０において、制御は、タイマの時限がきたか否かを判定する。ステップ２９０が真である場合、制御はステップ２０４に戻る。そうでない場合、制御はステップ２９０に戻る。
【００４０】
[0047]本発明の広範な教示を様々な形態で実施することができることを当業者であれば前述の記述から理解できる。例えば、部品の温度を検知し、それに応じて電力出力を調整することができる。ヒステリシス、平均化および／または他の技法を使用して、光強度において発生しうるフリッカおよび／または他の目立った変化を低減することができる。したがって、本発明をその具体例に関して述べてきたが、各図面、明細書および以下の特許請求の範囲を調査することによって、当業者には他の修正形態が明らかになるであろうから、本発明の真の範囲はそれらに限定されるべきではない。
【図面の簡単な説明】
【００４１】
【図１】従来技術による蛍光灯用の例示的な制御システムの機能ブロック図である。
【図２】図１の蛍光灯用の制御システムのより詳細な機能ブロック図である。
【図３】本発明による蛍光灯用の改良された制御システムの機能ブロック図である。
【図４】図３の制御システムの例示的な実施形態の電気接続図および機能ブロック図である。
【図５】図３の制御システムを動作させるためのステップを示す第１の例示的なフローチャートである。
【図６】図３の制御システムを動作させるためのステップを示す第２の例示的なフローチャートである。
【図７】図３の制御システムを動作させるためのステップを示す第３の例示的なフローチャートである。
【符号の説明】
【００４２】
１０…蛍光灯、１２…シールドガラス管、１４…ガス、１６…蛍光体粉末、１８…電極、１８Ａ…電極、１８Ｂ…電極、２２…交流電源、２４…スイッチ、２６…安定器モジュール、５０…安定器モジュール、５４…制御モジュール、５６…電解コンデンサ、５８…他の構成部品、９８…制御システム、１００…安定器モジュール、１０４…制御モジュール、１１２…温度センサ，温度検知モジュール、１１４…温度センサ，温度検知モジュール、１２０…整流器、１２６…パワートランジスタ、１２８…パワートランジスタ。
【図１】
2006302883.tif 000003
【図２】
2006302883.tif 000004
【図３】
2006302883.tif 000005
【図４】
2006302883.tif 000006
【図５】
2006302883.tif 000007
【図６】
2006302883.tif 000008
【図７】
2006302883.tif 000009
【外国語明細書】
2006302883000001.pdf